(57)【要約】【課題】前面の形状が異なる二種類の被梱包品のどちらでもガタツキなく梱包できるように改良した梱包用緩衝材を提供する。【解決手段】被梱包品３と外箱との間に介在させる樹脂発泡体１，２からなる緩衝材であって、下部樹脂発泡体２には、前面の形状がそれぞれ異なる第一の被梱包品３にも第二の被梱包品４にも嵌合可能な嵌合凹部５が形成されており、この嵌合凹部５の前側内面には、第一の被梱包品３の前面を両端部で支持する第一の支持部５ａ，５ａが形成されると共に、第二の被梱包品４の前面を両端部以外の二箇所で支持する第二の支持部５ｂ，５ｂが形成されている構成とする。第一の被梱包品３を嵌合させる場合は第一の支持部５ａ，５ａで支持し、第二の被梱包品４を嵌合させる場合は第二の支持部５ｂ，５ｂで支持してガタツキなく梱包する。【選択図】図１
2010149871.tif 000002
【特許請求の範囲】
【請求項１】
被梱包品と外箱との間に介在させる樹脂発泡体からなる緩衝材であって、
上記緩衝材には、前面の形状がそれぞれ異なる第一の被梱包品にも第二の被梱包品にも嵌合可能な嵌合凹部が形成されており、
上記嵌合凹部の前側内面には、第一の被梱包品の前面を両端部で支持する第一の支持部が形成されると共に、第二の被梱包品の前面を両端部以外の二箇所で支持する第二の支持部が形成されていることを特徴とする梱包用緩衝材。
【請求項２】
上記緩衝材が、第一及び第二の被梱包品の上部に嵌合させて外箱との間に介在させる上部樹脂発泡体と、第一及び第二の被梱包品の下部に嵌合させて外箱との間に介在させる下部樹脂発泡体とからなり、下部樹脂発泡体の嵌合凹部の前側内面に上記第一の支持部と上記第二の支持部が形成されていることを特徴とする請求項１に記載の梱包用緩衝材。
【請求項３】
上記第一の被梱包品が、フロントキャビネットの下端縁を真っ直ぐに形成したストレートタイプの液晶テレビであり、上記第二の被梱包品が、フロントキャビネットの下端縁を前方に弓なりに凸曲させて形成したベンドタイプの液晶テレビであって、上記下部樹脂発泡体の嵌合凹部の前側内面には、ストレートタイプの液晶テレビのフロントキャビネットの真っ直ぐな下端縁を両端部で支持する第一の支持部が形成されると共に、ベンドタイプの液晶テレビのフロントキャビネットの前方に凸曲した下端縁を、その両端部と中央部とのほぼ中間部分で支持する第二の支持部が形成されていることを特徴とする請求項２に記載の梱包用緩衝材。
【発明の詳細な説明】
【技術分野】
【０００１】
本発明は液晶テレビなどの被梱包品を外箱に収容して梱包する際に被梱包品と外箱との間に介在させる梱包用緩衝材に関し、特に、前面の形状が異なる二種類の被梱包品のどちらでもガタツキなく梱包できるように改良した梱包用緩衝材に関する。
【背景技術】
【０００２】
周知のように、液晶テレビなどの被梱包品を外箱に収容して梱包する場合は、運搬時や落下時の衝撃から被梱包品を保護するために、被梱包品と外箱との間に発泡スチロール等からなる梱包用緩衝材を介在させている。このような梱包用緩衝材は、被梱包品をガタツキなく梱包できるように、被梱包品の形状に合わせて成形されているい。
【０００３】
また、空気調和器の梱包装置であって、緩衝材を選別することなく、空気調和器の重い部分をしっかり保持し、空気調和器の軽い部分は隙間をあけて保持するようにしたものも知られている（特許文献１）。
【特許文献１】特開２００１−３１１７７号公報
【発明の開示】
【発明が解決しようとする課題】
【０００４】
ところで、液晶テレビには、フロントキャビネットの形状のみが異なるモデルがあるが、従来は、そのようなモデルの液晶テレビを梱包する場合でも、新しい金型を起こして、異なる形状のフロントキャビネットに合致した嵌合凹部を有する梱包用緩衝材を作製し、この梱包用緩衝材を用いてフロントキャビネットの形状が異なる液晶テレビをガタツキなく梱包していたため、コストアップを招くという問題があった。けれども、フロントキャビネットの形状が異なるとは言っても、実際にはそれほど大きく異なるものではなく、例えば、一方のフロントキャビネットの下端縁が真っ直ぐに形成されているのに対し、他方のフロントキャビネットの下端縁は前方に弓なりに凸曲するように形成されているという程度のものであった。
【０００５】
本発明は上記事情の下になされたもので、その解決しようとする課題は、前面の形状が異なる二種類の被梱包品のどちらでもガタツキなく梱包できるように改良した梱包用緩衝材を提供することにある。
【課題を解決するための手段】
【０００６】
上記課題を解決するため、本発明に係る梱包用緩衝材は、被梱包品と外箱との間に介在させる樹脂発泡体からなる緩衝材であって、該緩衝材には、前面の形状がそれぞれ異なる第一の被梱包品にも第二の被梱包品にも嵌合可能な嵌合凹部が形成されており、この嵌合凹部の前側内面には、第一の被梱包品の前面を両端部で支持する第一の支持部が形成されると共に、第二の被梱包品の前面を両端部以外の二箇所で支持する第二の支持部が形成されていることを特徴とするものである。
【０００７】
より具体的には、上記緩衝材が、第一及び第二の被梱包品の上部に嵌合させて外箱との間に介在させる上部樹脂発泡体と、第一及び第二の被梱包品の下部に嵌合させて外箱との間に介在させる下部樹脂発泡体とからなり、下部樹脂発泡体の嵌合凹部の前側内面に上記第一の支持部と上記第二の支持部が形成されたものである。
【０００８】
そして、代表的な実施形態では、上記第一の被梱包品がフロントキャビネットの下端縁を真っ直ぐに形成したストレートタイプの液晶テレビであり、上記第二の被梱包品がフロントキャビネットの下端縁を前方に弓なりに凸曲させて形成したベンドタイプの液晶テレビであって、上記下部樹脂発泡体の嵌合凹部の前側内面には、ストレートタイプの液晶テレビのフロントキャビネットの真っ直ぐな下端縁を両端部で支持する第一の支持部が形成されると共に、ベンドタイプの液晶テレビのフロントキャビネットの前方に凸曲した下端縁を、その両端部と中央部とのほぼ中間部分で支持する第二の支持部が形成されていることを特徴としている。
【発明の効果】
【０００９】
本発明の梱包用緩衝材を、前面の形状が異なる第一及び第二の被梱包品にそれぞれ嵌合させて外箱との間に介在させると、第一の被梱包品に梱包用緩衝材を嵌合させた場合は、梱包用緩衝材の嵌合凹部の前面内側に形成された第一の支持部によって、第一の被梱包品の前面がその両端部で支持固定され、また、第二の被梱包品に嵌合させた場合は、梱包用緩衝材の嵌合凹部に形成された第二の支持部によって、第二の被梱包品の前面がその両端部以外の二箇所で支持固定されるため、いずれの被梱包品もガタツキなく梱包することができる。このように、前面の形状が異なる二種類の被梱包品でも、本発明の梱包用緩衝材を共用してガタツキなく梱包することができるので、これまでのように第一の被梱包品に合致する形状の嵌合凹部を備えた梱包用緩衝材と、第二の被梱包品に合致する形状の嵌合凹部を備えた梱包用緩衝材を別々に作製することが不要となり、梱包費用の大幅な削減が可能となる。
【００１０】
本発明の梱包用緩衝材の作用効果について、前記の代表的な実施形態に基づいてもう少し具体的に説明する。即ち、フロントキャビネットの下端縁を真っ直ぐに形成したストレートタイプの液晶テレビの上部と下部に上部樹脂発泡体と下部樹脂発泡体をそれぞれ嵌合させて外箱に梱包する場合は、下部樹脂発泡体の嵌合凹部の前側内面に形成された第一の支持部によって、液晶テレビのフロントキャビネットの真っ直ぐな下端縁がその両端部でガタツキなく支持固定され、真っ直ぐな下端縁と第二の支持部との間には隙間が生じる。一方、フロントキャビネットの下端縁を前方に弓なりに凸曲させて形成したベンドタイプの液晶テレビの上部と下部に上部樹脂発泡体と下部樹脂発泡体を嵌合させて外箱に梱包する場合は、下部樹脂発泡体の嵌合凹部の前側内面に形成された第二の支持部によって、弓なりに凸曲したフロントキャビネットの下端縁がその両端部と中央部との中間部分でガタツキなく支持固定され、下端縁の両端部と第一の支持部との間には隙間が生じる。このように、ストレートタイプの液晶テレビでもベンドタイプの液晶テレビでも、梱包用緩衝材を共用してガタツキなく安定して梱包できるので、梱包費用を大幅に節約できると共に、充分な緩衝作用を発揮して液晶テレビを衝撃から保護することができる。
【発明を実施するための最良の形態】
【００１１】
以下、図面を参照して本発明の具体的な実施形態を詳述する。
【００１２】
図１は本発明の一実施形態に係る梱包用緩衝材の斜視図、図２は同梱包用緩衝材の背面図、図３は同梱包用緩衝材の下部樹脂発泡体の平面図、図４はストレートタイプの液晶テレビの下部を嵌合させた下部樹脂発泡体の平面図、図５はベンドタイプの液晶テレビの下部を嵌合させた下部樹脂発泡体の平面図、図６は図４のＡ−Ａ線断面図、図７は図５のＢ−Ｂ線断面図、図８は第二の支持部を形成する位置についての説明図、図９の（ａ）（ｂ）は異なる形状のスタンドを示す平面図である。
【００１３】
この梱包用緩衝材は、図１，図２に示すように、発泡スチロール製の上部樹脂発泡体１と、同じく発泡スチロール製の下部樹脂発泡体２とから成るものであって、上部樹脂発泡体１は被梱包品たる液晶テレビ３の上部に嵌合されて外箱（不図示）との間に介在され、下部樹脂発泡体２は液晶テレビ３の下部に嵌合されて外箱との間に介在されるようになっている。この液晶テレビ３は、図１，図４に示すように、フロントキャビネット３ａの下端縁３ｂを前方に少し突き出して真っ直ぐに形成したストレートタイプの液晶テレビであるが、図５に示すように、フロントキャビネット４ａの下端縁４ｂを前方に弓なりに凸曲させて形成したベンドタイプの液晶テレビ４にも、上部樹脂発泡体１と下部樹脂発泡体２が嵌合されるようになっている。これらの液晶テレビ３，４は、上記のようにフロントキャビネット３ａ，４ａの下端縁３ｂ，４ｂの形状が異なっているが、それ以外の形状は同一である。
【００１４】
図１に示すように、上部樹脂発泡体１の上面には、被梱包品たる液晶テレビの各種の付属備品を収容する備品収容凹部１ａ，１ｂ，１ｃ，１ｄ，１ｅが形成されている。このうち、備品収容凹部１ｃはスタンド取付用ネジ等の小さい付属備品を収容する凹部であって、この備品収容凹部１ｃは、電池等のやや大きい付属備品を収容する備品収容凹部１ｂの底に形成されている。そのため、運搬等の途中でネジ等の小さい付属備品が備品収容凹部１ｃから飛び出そうとしても、その上の備品収容凹部１ｂに収容された電池等のやや大きい付属備品によって飛び出しが阻止され、紛失しないようになっている。
【００１５】
また、上部樹脂発泡体１と下部樹脂発泡体２の背面には、図９（ａ）（ｂ）に示す形状の異なったスタンド６，７を収容するスタンド収容凹部８が分割して形成されている。このスタンド収容凹部８の両側内面の後半部分８ａ，８ａは、一方のスタンド６のほぼ平行な両側面６ａ，６ａを両側から当止する当止面８ａ，８ａに形成されており、前半部分８ｂ，８ｂは、他方のスタンド７の前拡がり状に傾斜する両側面７ａ，７ａを両側から当止する当止面８ｂ，８ｂに形成されている。そのため、このスタンド収容凹部８は、どちらのスタンド６，７でもガタつきなく収容できるようになっている。
【００１６】
図３に示すように、下部樹脂発泡体２の内側には、本発明の特徴とする嵌合凹部５、即ち、ストレートタイプの液晶テレビ３の下部にも、ベンドタイプの液晶テレビ４の下部にもガタツキなく嵌合できる嵌合凹部５が形成されている。
【００１７】
この嵌合凹部５は、その前側内面に第一の支持部５ａ，５ａと第二の支持部５ｂ，５ｂを形成すると共に、後側内面に第三の支持部５ｃ，５ｃを形成したものである。第一の支持部５ａ，５ａは、図４に示すようにストレートタイプの液晶テレビ３の下部を下部樹脂発泡体２の嵌合凹部５に嵌合させたとき、フロントキャビネット３ａの真っ直ぐな下端縁３ｂの左右両端部を支持固定するものであって、この第一の支持部５ａ，５ａは嵌合凹部５の前側内面の左右両端部に形成されている。
【００１８】
これに対し、第二の支持部５ｂ，５ｂは、図５，図７に示すようにベンドタイプの液晶テレビ４の下部を下部樹脂発泡体２の嵌合凹部５に嵌合させたとき、フロントキャビネット４ａの弓なりに凸曲した下端縁４ｂの両端部以外の二箇所、即ち、この実施形態では下端縁４ｂの両端部と中央部とのほぼ中間部分を支持固定するものであって、この第二の支持部５ｂ，５ｂは嵌合凹部５の両端部と中央部とのほぼ中間部に形成されている。この第二の支持部５ｂ，５ｂの支持面は、下端縁４ｂの凸曲面に沿うように僅かに傾斜させた斜面とすることが望ましい。
【００１９】
第二の支持部５ｂ，５ｂを形成する位置は、図８に示すように、液晶テレビ３のフロントキャビネット３ａの真っ直ぐな下端縁３ｂを実線で表し、液晶テレビ４のフロントキャビネット４ａの弓なりに凸曲した下端縁４ｂを仮想線で重ねて表したとき、下端縁３ｂの実線と下端縁４ｂの仮想線との交点Ｐよりも中央側でなければならない。
【００２０】
また、第三の支持部５ｃ，５ｃは、図３〜図７に示すように、液晶テレビ３，４のリアキャビネット３ｃ，４ｃの背面下部を左右二箇所で支持するものであって、この第三の支持部５ｃ，５ｃは嵌合凹部５の後側内面に第二の支持部５ｂ，５ｂと対向して形成されている。
【００２１】
なお、図示はしていないが、上部樹脂発泡体１の内側にも、液晶テレビ３，４の上部を嵌合させる嵌合凹部が形成されていることは言うまでもない。
【００２２】
上記のように第一の支持部５ａ，５ａ、第二の支持部５ｂ，５ｂ、第三の支持部５ｃ，５ｃが形成された下部樹脂発泡体２の嵌合凹部５に液晶テレビ３，４の下部を嵌合し、上部樹脂発泡体１の嵌合凹部に液晶テレビ３，４の上部を嵌合して外箱に梱包すると、ストレートタイプの液晶テレビ３の場合は、図４，図６に示すように、フロントキャビネット３ａの真っ直ぐな下端縁３ｂと第二の支持部５ｂとの間には隙間を生じるが、第一の支持部５ａ，５ａによってフロントキャビネット３ａの真っ直ぐな下端縁３ｂの左右両端部が前方から支持されると共に、第三の支持部５ｃ，５ｃによってリアキャビネット３ｃが後方から支持されるため、液晶テレビ３はガタツキなく梱包される。
【００２３】
一方、ベンドタイプの液晶テレビ４の場合は、図５，図７に示すように、フロントキャビネット４ａの弓なりに凸曲した下端縁４ｂの両端部と嵌合凹部５の第一の支持部５ａ，５ａとの間には隙間を生じるが、嵌合凹部５の第二の支持部５ｂ，５ｂによってフロントキャビネット４ａの弓なりに凸曲した下端縁４ｂがその両端部と中央部との中間部分で前方から支持されると共に、第三の支持部５ｃ，５ｃによってリアキャビネット４ｃが後方から支持されるため、液晶テレビ４はガタツキなく梱包される。
【００２４】
上記のように、この梱包用緩衝材は、ストレートタイプの液晶テレビ３でもベンドタイプの液晶テレビ４でもガタツキなく安定して梱包できるので、これまでのようにストレートタイプの液晶テレビ用の梱包用緩衝材とベンドタイプの液晶テレビ用の梱包用緩衝材を別々に作製することが不要となり、梱包費用を大幅に節約することができる。
【００２５】
なお、第二の支持部５ｂは、下部樹脂発泡体２の嵌合凹部５の前側内面の中央に一つだけ形成し、ベンドタイプの液晶テレビ４のフロントキャビネット４ａの弓なりに凸曲した下端縁４ｂの中央部を一箇所で支持するように構成してもよいが、その場合は支持強度が若干不足する懸念があるので、本発明の梱包用緩衝材では、上記のように嵌合凹部５の前側内面の両端部と中央部との中間部分に第二の支持部５ｂを二つ形成している。
【図面の簡単な説明】
【００２６】
【図１】本発明の一実施形態に係る梱包用緩衝材の斜視図である。
【図２】同梱包用緩衝材の背面図である。
【図３】同梱包用緩衝材の下部樹脂発泡体の平面図である。
【図４】ストレートタイプの液晶テレビの下部を嵌合させた下部樹脂発泡体の平面図である。
【図５】ベンドタイプの液晶テレビの下部を嵌合させた下部樹脂発泡体の平面図である。
【図６】図４のＡ−Ａ線断面図である。
【図７】図５のＢ−Ｂ線断面図である。
【図８】第二の支持部を形成する位置についての説明図である。
【図９】（ａ）（ｂ）は異なる形状のスタンドを示す平面図である。
【符号の説明】
【００２７】
１    上部樹脂発泡体
２    下部樹脂発泡体
３    ストレートタイプの液晶テレビ（被梱包品）
４    ベンドタイプの液晶テレビ（被梱包品）
５    嵌合凹部
５ａ  第一の支持部
５ｂ  第二の支持部
５ｃ  第三の支持部
【図１】
2010149871.tif 000003
【図２】
2010149871.tif 000004
【図３】
2010149871.tif 000005
【図４】
2010149871.tif 000006
【図５】
2010149871.tif 000007
【図６】
2010149871.tif 000008
【図７】
2010149871.tif 000009
【図８】
2010149871.tif 000010
【図９】
2010149871.tif 000011